【手続補正書】
【提出日】平成29年5月9日(2017.5.9)
【手続補正１】
【補正対象書類名】明細書
【補正対象項目名】００５２
【補正方法】変更
【補正の内容】
【００５２】
２，２，２−トリフルオロエチルアクリラート、２−ヒドロキシエチルアクリラート、アクリル酸、グリシジルアクリラート、メチルアクリラート、tert−ブチルアクリラート、エチルアクリラート、ブチルアクリラート、２−エチルヘキシルアクリラート、３−スルホプロピルアクリラートカリウム塩、４−ヒドロキシブチルアクリラート、２−ブロモエチルアクリラート、２−シアノエチルアクリラート、テトラヒドロフルフリルアクリラート、アリルアクリラート、ステアリルアクリラート、２−（２−エトキシエトキシ）エチルアクリラート、２−ヒドロキシプロピルアクリラート、イソ−ヘキサデシルアクリラート、２−テトラヒドロフリルアクリラート、ｎ，ｎ−ジメチルアミノエチルアクリラート、１ｈ，１ｈ−ペルフルオロオクチルアクリラート、１ｈ，１ｈ−ヘプタフルオロブチルアクリラート、２，２，３，３，３−ペンタフルオロプロピルアクリラート、１ｈ，１ｈ，５ｈ−オクタフルオロペンチルアクリラート、１，１，１，３，３，３−ヘキサフルオロイソプロピルアクリラート、ｄ，ｌ−メンチルアクリラート、β−カルボキシエチルアクリラート、１ｈ，１ｈ，１１ｈ−エイコサフルオロウンデシルアクリラート、２−フルオロエチルアクリラート、１ｈ，１ｈ，２ｈ，２ｈ−ペルフルオロデシルアクリラート、ペンタフルオロベンジルアクリラート、ペンタフルオロフェニルアクリラート、１ｈ，１ｈ，２ｈ，２ｈ−ペルフルオロオクチルアクリラート、２，２，３，３−テトラフルオロプロピルアクリラート、イソブチルアクリラート、ラウリルアクリラート、ｎ，ｎ−ジエチルアミノエチルアクリラート、２−エトキシエチルアクリラート、（ｒ）−（＋）−α−アクリロイルオキシ−β，β−ジメチル−γ−ブチロラクトン、２，２，３，４，４，４−ヘキサフルオロブチルアクリラート、２−クロロエチルアクリラート、シクロヘキシルアクリラート、メタアリルアクリラート、フェニルアクリラート、アクリル酸無水物、ベンジルアクリラート、２−メトキシエチルアクリラート、シンナミルアクリラート、３−メトキシブチルアクリラート、イソ−プロピルアクリラート、ｎ−デシルアクリラート、ウンデシルアクリラート、トリデシルアクリラート、２−エチルブチルアクリラート、ｎ−プロピルアクリラート、アクリルオキシトリ−ｎ−ブチルスズ、２−ｎ−ブトキシエチルアクリラート、ｎ−アミルアクリラート、ｎ−ヘキシルアクリラート、ｎ−ヘプチルアクリラート、ｎ−オクチルアクリラート、２−ヒドロキシ−３−クロロプロピルアクリラート、２−フェノキシエチルアクリラート、イソ−アミルアクリラート、sec−ブチルアクリラート、ｎ−（３−アクリルオキシ−２−ヒドロキシプロピル）−３−アミノプロピルトリエトキシシラン、（３−アクリルオキシプロピル）メチルビス（トリメチルシロキシ）シラン、（３−アクリルオキシプロピル）ジメチルメトキシ−シラン、３−アクリルオキシプロピルトリス（トリメチルシロキシ）シラン、（３−アクリルオキシプロピル）トリメトキシシラン、（３−アクリルオキシプロピル）メチルジクロロシラン、（３−アクリルオキシプロピル）トリクロロシラン、
ビニルアクリラート、２，３−ジブロモプロピルアクリラート、モノ−（アクリロイルオキシエチル）フタラート、３−アクリルオキシプロピル−２−ｎ−フェニルカルバマート、２−ヒドロキシ−３−フェノキシプロピルアクリラート、アクリル酸カリウム、アクリル酸ナトリウム、［２−（アクリロイルオキシ）エチル］（４−ベンゾイルベンジル）ジメチルアンモニウムブロミド、ｎ−アクリルオキシスクシンイミド、１ｈ，１ｈ，９ｈ−ヘキサデカフルオロノニルアクリラート、３，３，５−トリメチルシクロヘキシルアクリラート、ｎ−ノニルアクリラート、シクロペンチルアクリラート、ペルフルオロオクチルアクリラート、２−アリルオキシエトキシエチルアクリラート、クロチルアクリラート、４−クミルフェニルアクリラート、２，４，６−トリブロモフェニルアクリラート、ヘキサデシルアクリラート、プロパルギルアクリラート、アクリル酸アンモニウム、アクリル酸セシウム、アクリル酸リチウム、アクリル酸ルビジウム、ｎ−（アクリルオキシエチル）フタルイミド、ｎ−（アクリルオキシエチル）スクシンイミド、モノ−２−アクリロイルオキシエチルマレアート、２−アリルオキシエチルアクリラート、アリルオキシプロピルアクリラート、ベヘニルアクリラート、１，３−ビス（４−ベンゾイル−３−ヒドロキシフェノキシ）−２−プロピルアクリラート、イソボルニルアクリラート、２−（ブロモ−１−ナフチルオキシ）−エチルアクリラート、２−（１−ブロモ−２−ナフチルオキシ）−エチルアクリラート、ｐ−クロロフェノキシエチルアクリラート、４−クロロフェニルアクリラート、２−シアノエトキシエチルアクリラート、シクロールアクリラート、イソ−デシルアクリラート、ジブチルスズアクリラート、ｎ，ｎ−ジエチルアミノエチルアクリラートｑ−塩メトスルファート、［２−（アクリロイルオキシ）エチル］トリメチルアンモニウムクロリド、３，６−ジオキサヘプチルアクリラート、フルフリルアクリラート、２，３−ジヒドロキシプロピルアクリラート、ヘキソキシエチルアクリラート、３−ヨードベンジルアクリラート、ｄ−メンチルアクリラート、ｌ−メンチルアクリラート、２−メチルブチルアクリラート、２−ｎ−モルホリノエチルアクリラート、α−ナフチルアクリラート、β−ナフチルアクリラート、２−（１−ナフチルオキシ）−エチルアクリラート、２−（２−ナフチルオキシ）−エチルアクリラート、２−ニトロエチルアクリラート、ｐ−ニトロフェニルアクリラート、ノニルフェニルアクリラート、ノルボルニルアクリラート、２−オクチルアクリラート、イソオクチルアクリラート、ペンタブロモフェニルアクリラート、ペンタクロロフェニルアクリラート、ネオ−ペンチルアクリラート、（ペルフルオロシクロヘキシル）メチルアクリラート、２−フェニルエチルアクリラート、フェニルプロピルアクリラート、モノ−２−アクリロイルオキシエチルフタラート、１−ピペリジンエチルアクリラート、アクリル酸銀、ソルビトールアクリラート、トリクロロエチルアクリラート、［２−（アクリロイルオキシ）エチル］トリメチルアンモニウムメチルスルファート、３，５，５−トリメチルヘキシルアクリラート、ビニルベンジルアクリラート��２−（ｎ−ブチルペルフルオロオクタンスルファミド）エチルアクリラート、２−（ｎ−エチルペルフルオロオクタンスルファミド）エチルアクリラート、３−（トリフルオロメチル）ベンジルアクリラート、１ｈ，１ｈ，７ｈ−ドデカフルオロヘプチルアクリラート、３−ジメチルアミノネオペンチルアクリラート、１ｈ，１ｈ，３ｈ−ヘキサフルオロブチルアクリラート、２−（４−ベンゾイル−３−ヒドロキシフェノキシ）エチルアクリラート、モノアクリルオキシエチルホスファート、２，２−ジニトロプロピルアクリラート、アビトールアクリラート、アクリル酸カリウム半水和物、２−（アクリルオキシエトキシ）トリメチルシラン、（３−アクリルオキシプロピル）メチルジメトキシシラン、アクリルオキシトリメチルシラン、アクリルオキシトリフェニルスズ、アクリル酸ナトリウム半水和物、ジシクロペンテニルアクリラート、ジカプロラクトン２−（アクリロイルオキシ）エチルエステル、ジ（エチレングリコール）２−エチルヘキシルエーテルアクリラート、ジシクロペンテニルオキシエチルアクリラート、３−（ジメチルアミノ）プロピルアクリラート、４，４−ジメチル−２−オキソテトラヒドロフラン−３−イルアクリラート、２−（ペルフルオロブチル）エチルアクリラート、３−（ペルフルオロブチル）−２−ヒドロキシプロピルアクリラート、３−（ペルフルオロヘキシル）−２−ヒドロキシプロピルアクリラート、３−（ペルフルオロオクチル）−２−ヒドロキシプロピルアクリラート、２−（ペルフルオロデシル）エチルアクリラート、２−（ペルフルオロ−３−メチルブチル）エチルアクリラート、３−（ペルフルオロ−３−メチルブチル）−２−ヒドロキシプロピルアクリラート、２−（ペルフルオロ−５−メチルヘキシル）エチルアクリラート、２−（ペルフルオロ−９−メチルオクチル）エチルアクリラート、２−（ペルフルオロ−９−メチルデシル）エチルアクリラート、ウレタンアクリラート、モノ−２−（アクリロイルオキシ）エチルスクシナート、ヘプタフルオロ−２−プロピルアクリラート、（３−（アラノイルオキシ（allanoyloxy））−５−［４−（ベンゾイルアミノ）−２−オキソピリミジン−１（２ｈ）−イル］テトラヒドロフラン−２−イルジヒドロジシクロペンタジエニルアクリラート、２−（アクリロイルオキシ）エチルアセトアセタート、アクリル酸３−（１−オキソ−１，３−ジヒドロ−イソインドール−２−イル）−フェニルエステル、４−tert−ブチルシクロヘキシルアクリラート、アクリル酸３−（３，５−ジオキソ−４−アザ−トリシクロ（５．２．１．０（２，６））デカ−８−エン−４−イル）−ｐｈエステル、アクリル酸３−（４−ニトロ−１，３−ジオキソ−１，３−ジヒドロ−イソインドール−２−イル）−フェニルエステル、アクリル酸３−（４，５，６，７−テトラクロロ−１，３−ジオキソ−１，３−２ｈ−イソインドール−２−イル）−フェニルエステル、メチルフリルアクリラート、ｒｃｌ  ｒ３５，８４５−２、アクリル酸３−（２，５−ジオキソ−ピロリジン−１−イル）−フェニルエステル、アクリル酸３−（１，３−ジオキソ−１，３−ジヒドロ−イソインドール−２−イル）−フェニルエステル、アクリル酸コバルト、アクリル酸マンガン、３−アクリロイルオキシプロピル−２−ｎ−フェニルカルバマート、アクリル化ビスフェノール「ａ」グリシジルエーテル、３−（ペルフルオロ−５−メチルヘキシル）−２−ヒドロキシプロピルアクリラート、３−（ペルフルオロ−７−メチルオクチル）−２−ヒドロキシプロピルアクリラート、ネオペンチルグリコールアクリラートベンゾアート、２’−シンナモイルオキシエチルアクリラート、トリイソプロピルシリルアクリラート、ウベクリル（uvecryl）ｐ３６、２−［［（ブチルアミノ）カルボニル］オキシ］エチルアクリラート、１ｈ，１ｈ−ペルフルオロ−ｎ−デシルアクリラート、
メタクリル酸、２−ヒドロキシエチルメタクリラート、２−ヒドロキシプロピルメタクリラート、グリシジルメタクリラート、メタクリル酸無水物、メチルメタクリラート、２−（ジメチルアミノ）エチルメタクリラート、アリルメタクリラート、３−メタクリルオキシプロピルトリメトキシシラン、イソブチルメタクリラート、ラウリルメタクリラート、エチルメタクリラート、２−エトキシエチルメタクリラート、ｎ−ブチルメタクリラート、２−エチルヘキシルメタクリラート、スルホプロピルメタクリル酸カリウム、２，２，２−トリフルオロエチルメタクリラート、シクロヘキシルメタクリラート、テトラヒドロフルフリルメタクリラート、２−（tert−ブチルアミノ）エチルメタクリラート、ｎ−ヘキシルメタクリラート、１，６−ヘキサンジオールジメタクリラート、３−メチル−２−ベンゾチアゾリノン、４’（２−（ｍｅ−アクリロイル−ｏ）エトキシ）アセトフェノンを含むアジン、２−（ｐ−ニトロフェノキシ）エチルメタクリラート、ステアリルメタクリラート、２−ヒドロキシ−３−メタクリルオキシプロピルトリメチルアンモニウムクロリド、２−フェニルエチルメタクリラート、２−（ジエチルアミノ）エチルメタクリラート、１ｈ，１ｈ−ペルフルオロオクチルメタクリラート、１ｈ，１ｈ−ヘプタフルオロブチルメタクリラート、２，２，３，３，３−ペンタフルオロプロピルメタクリラート、１ｈ，１ｈ，５ｈ−オクタフルオロペンチルメタクリラート、１，１，１，３，３，３−ヘキサフルオロイソプロピルメタクリラート、ｎ−（３−スルホプロピル）−ｎ−メタクリルオキシエチル−ｎ，ｎ−ジメチルアンモニウムベタイン、３−クロロ−２−ヒドロキシプロピルメタクリラート、ｄ，ｌ−メンチルメタクリラート、１ｈ，１ｈ，１１ｈ−ペルフルオロウンデシルメタクリラート、２−フルオロエチルメタクリラート、１ｈ，１ｈ，２ｈ，２ｈ−ペルフルオロデシルメタクリラート、２，２，３，４，４，４−ヘキサフルオロブチルメタクリラート、ペンタフルオロベンジルメタクリラート、ペンタフルオロフェニルメタクリラート、２，２，３，３−テトラフルオロプロピルメタクリラート、２−ブロモエチルメタクリラート、メタクリラトクロム酸クロリド、２−クロロエチルメタクリラート、シクロペンチルメタクリラート、１，４−シクロヘキサンジメチル１，４−ジメタクリラート，２−シアノエチルメタクリラート、メタクリル酸バリウム、メタクリル酸カリウム、メタクリル酸マグネシウム、メタクリル酸ナトリウム、メタクリル酸亜鉛、
フルフリルメタクリラート、フェニルメタクリラート、ネオペンチルグリコールジメタクリラート、メタアリルメタクリラート、２−メトキシエチルメタクリラート、プロパルギルメタクリラート、３−メトキシブチルメタクリラート、tert−ブチルメタクリラート、イソプロピルメタクリラート、イソ−アミルメタクリラート、ｎ−デシルメタクリラート、sec−ブチルメタクリラート、２−エチルブチルメタクリラート、ｎ−プロピルメタクリラート、２−ｎ−ブトキシエチルメタクリラート、ヒドロキシプロピルメタクリラート、メタクリルオキシプロピルメチルジクロロシラン、ベンジルメタクリラート、２−フェノキシエチルメタクリラート、メタクリルオキシプロピルトリス（メトキシエトキシ）シラン、３−メタクリルオキシプロピルペンタメチルジシロキサン、イソ−デシルメタクリラート、メタクリルオキシトリ−ｎ−ブチルスズ、ｎ−アミルメタクリラート、ｎ−オクチルメタクリラート、トリメチルシリルメタクリラート、２−（トリメチルシロキシ）エチルメタクリラート、メタクリルオキシプロピルビス（トリメチルシロキシ）メチルシラン、メタクリルオキシプロピルトリス（トリメチルシロキシ）シラン、メタクリルオキシプロピルジメチルエトキシシラン、３−メタクリルオキシプロピルメチルジエトキシシラン、３−メタクリルオキシプロピルジメチルクロロシラン、２−メタクリルオキシエチルジメチル（３−トリメトキシシリルプロピル）アンモニウムクロリド、アセトアセトキシエチルメタクリラート、メタクリルオキシプロピルトリクロロシラン、３−メタクリルオキシプロピルトリス（ビニルジメチルシロキシ）シラン、トリメチルシリルメチルメタクリラート、（メタクリルオキシメチル）フェニルジメチルシラン、メタクリルオキシプロペニルトリメトキシシラン、メタクリル酸カルシウム、トリデシルメタクリラート、ビニルメタクリラート、メトキシエトキシエチルメタクリラート、［２−（メタクリロイルオキシ）エチル］トリメチルアンモニウムクロリド、モノ−（２−（メタクリロイルオキシ）−エチル）フタラート、２−ヒドロキシ−３−フェノキシプロピルメタクリラート、メタクリルオキシプロピルトリエトキシシラン、２−ジイソプロピルアミノエチルメタクリラート、１ｈ，１ｈ，２ｈ，２ｈ−ペルフルオロオクチルメタクリラート、２−アミノエチルメタクリラート塩酸塩、２−トリメチルアンモニウムエチルメタクリラートメトスルファート、トリチルメタクリラート、ペルフルオロオクチルメタクリラート、２，４，６−トリブロモフェニルメタクリラート、４−ヒドロキシブチルメタクリラート、ヘキサデシルメタクリラート、ウンデシルメタクリラート、ｎ−ノニルメタクリラート、２−アリルオキシエトキシエチルメタクリラート、３，３，５−トリメチルシクロヘキシルメタクリラート、２，３−ジブロモプロピルメタクリラート、シンナミルメタクリラート、クロチルメタクリラート、１ｈ，１ｈ，９ｈ−ヘキサデカフルオロノニルメタクリラート、ｎ−ヘプチルメタクリラート、２−アリルオキシエチルメタクリラート、アリルオキシプロピルメタクリラート、ネオ−ペンチルメタクリラート、２−（１−アジリジニル）−エチルメタクリラ��ト、ベヘニルメタクリラート、５−ノルボルネン−２−メタノールメタクリラート、１，３−ビス（４−ベンゾイル−３−ヒドロキシフェノキシ）−２−プロピルメタクリラート、エトキシエトキシエチルメタクリラート、ｐ−クロロフェノキシエチルメタクリラート、４−クミルフェニルメタクリラート、ジブチルスズメタクリラート、ｎ，ｎ−ジエチルアミノエチルメタクリラートｑ−塩メトスルファート、ジエチレングリコールモノ−メタクリラート、２，３−ジヒドロキシプロピルメタクリラート、３，３−ジメチルブタノール−２メタクリラート、エチルトリグリコールメタクリラート、エチリデンジメタクリラート、エチルチオエチルメタクリラート、ヘキソキシエチルメタクリラート、２−（１−イミダゾロイル）エチルメタクリラート、３−ヨードベンジルメタクリラート、イソシアナトエチルメタクリラート、ｄ−メンチルメタクリラート、ｌ−メンチルメタクリラート、メタクリル酸アルミニウム、ｎ−（メタクリルオキシエチル）フタルイミド、ｎ−（メタクリルオキシエチル）スクシンイミド、４−メタクリルオキシエチルトリメリット酸無水物、４−メタクリルオキシ−２−ヒドロキシベンゾフェノン、モノ−（２−（メタクリロイルオキシ）−エチル）マレアート、２−メタクリロイルオキシメチル−２，３−ジヒドロ−４ｈ−ピラン、
メトキシプロピルメタクリラート、３−メチルブタノール−２メタクリラート、３−メチルブテン−２−イル−メタクリラート、２−メチルブチルメタクリラート、３−（４−メチルフェノキシ）−２−ヒドロキシプロピルメタクリラート、２−ｎ−モルホリノエチルメタクリラート、α−ナフチルメタクリラート、２−ナフチルメタクリラート、２−（１−ナフチルオキシ）−エチルメタクリラート、２−（２−ナフチルオキシ）−エチルメタクリラート、２−ニトロエチルメタクリラート、ｐ−ニトロフェニルメタクリラート、ノニルフェニルメタクリラート、ノルボルニルメタクリラート、イソ−オクチルメタクリラート、ペンタブロモフェニルメタクリラート、ペンタクロロフェニルメタクリラート、ペルフルオロシクロヘキシルメチルメタクリラート、フェニルプロピルメタクリラート、１−ピペリジンエチルメタクリラート、ソルビトールメタクリラート、２−スルホエチルメタクリラート、トリブロモネオペンチルメタクリラート、トリクロロエチルメタクリラート、１ｈ，１ｈ，７ｈ−ドデカフルオロヘプチルメタクリラート、３，５，５−トリメチルヘキシルメタクリラート，メタクリルオキシエトキシトリス（トリメチルシロキシ）シラン、ビニルベンジルメタクリラート、２−（ｎ−エチルペルフルオロオクタンスルファミド）エチルメタクリラート、３−（トリフルオロメチル）ベンジルメタクリラート、イソボルニルメタクリラート、ポリ（エチレングリコール）メタクリラート、ヒドロキシプロピルメタクリラート、メタクリル酸鉛２−エチルヘキサノアート、２−メタクリルオキシエチルグルコシド、ビス（２，３−ジブロモプロピル）２−（メタクリロイルオキシ）−エチルホスファート、３−メチル−２−ベンゾチアゾリノン、４−（２−（ｍｅ−アクリロイル−ｏ）ｅｔｏ）−ｍ−アニスアルデヒドを含むアジン、２−（メタクリロイルオキシ）エチルｎ−（３−ブロモフェニル）カルバマート、２−（メタクリロイルオキシ）エチルｎ−（ｎ−（３，５−ジクロロフェニル）カルバモイル）カルバマート、２−（メタクリロイルオキシ）エチルｎ−（４−イソプロピルフェニル）カルバマート、エチレングリコールメタクリラートホスファート、トリメチロールプロパンジアリルエーテルモノ−メタクリラート、アビトールメタクリラート、イソシアナトエチルメタクリラートブチルウレタン、イソシアナトエチルメタクリラートオクチルウレタン、イソシアナトエチルメタクリラートカプロラクタム付加体、イソシアナトエチルメタクリラートピロリドン付加体、メタクリル酸ヒドロキシプロピルエステル、メタクリル酸カルシウム水和物、２−ヒドロキシ−４−［２−ヒドロキシ−３−（メタクリロイルオキシ）−プロポキシ］ベンゾフェン、メタクリルオキシジフェニルアンチモン、（２−メタクリルオキシエトキシ）トリイソプロポキシチタナート、（メタクリルオキシメチル）ビス（トリメチルシロキシ）メチルシラン、（メタクリルオキシメチル）ジメチルエトキシシラン、メタクリルオキシメチルトリエトキシシラン、メタクリルオキシメチルトリメトキシシラン、メタクリルオキシメチルトリメチルゲルマン、メタクリルオキシメチルトリス（トリメチルシロキシ）シラン、���タクリルオキシプロピルジメチルメトキシシラン、メタクリルオキシプロピルメチルジメトキシシラン、メタクリルオキシプロピルシラトラン、メタクリルオキシトリエチルゲルマン、チタンメタクリラートトリイソプロポキシド、ジシクロペンテニルメタクリラート、テトラヒドロピラニルメタクリラート、カプロラクトン２−（メタクリロイルオキシ）エチルエステル、２−メチル−２−ニトロプロピルメタクリラート、２−（２−オキソ−１−イミダゾリジニル）エチルメタクリラート、テトラキス（２−メタクリルオキシエトキシ）シラン、２−（メチルチオ）エチルメタクリラート、２−［３−（２ｈ−ベンゾトリアゾール−２−イル）−４−ヒドロキシフェニル］エチルメタクリラート、ジシクロペンテニルオキシエチルメタクリラート、２−メチル−アクリル酸４−ヒドロキシ−フェニルエステル、２−（ペルフルオロブチル）エチルメタクリラート、２−（ペルフルオロデシル）エチルメタクリラート、２−（ペルフルオロ−３−メチルブチル）エチルメタクリラート、３−（ペルフルオロ−３−メチルブチル）−２−ヒドロキシプロピルメタクリラート、２−（ペルフルオロ−５−メチルヘキシル）エチルメタクリラート、３−（ペルフルオロ−５−メチルヘキシル）−２−ヒドロキシプロピルメタクリラート、２−（ペルフルオロ−７−メチルオクチル）エチルメタクリラート、３−（ペルフルオロ−７−メチルオクチル）−２−ヒドロキシプロピルメタクリラート、２−（ペルフルオロ−９−メチルデシル）エチルメタクリラート、３−（ペルフルオロ−８−メチルデシル）−２−ヒドロキシプロピルメタクリラート、（９−アントリル）メタクリラート、（９−フェナントリル）メチルメタクリラート、
ｎ−（３−メタクリルオキシ−２−ヒドロキシプロピル）−３−アミノプロピルトリエトキシシラン、４−（メタクリロイルオキシ）カルコン、モノ−２−（メタクリロイルオキシ）エチルスクシナート、２−（スルホオキシ）エチルメタクリラートアンモニウム塩、エチレンメタクリラートホスファート、２−ｍｅ−アクリル酸２−（４−（１，３−ジオキソ−１，３−ジヒドロ−イソインドール−２−イル）−フェニル）−エチルエステル、２−（２’−メタクリルオキシ−５’−メチルフェニル）ベンゾトリアゾール、２−ｍｅ−アクリル酸３（３，５−ジオキソ−４−アザ−トリシクロ（５．２．１．０（２，６））デカ−８−エン−４−イル）ｐｈエステル、２−ｍｅ−アクリル酸４−（４−ニトロ−１，３−ジオキソ−１，３−ジヒドロ−イソインドール−２−イル）−フェニルエステル、ｒｃｌ  ｒ３５，７１５−４，９−アントラセニルメチルメタクリラート、１−ピレニルメチルメタクリラート、２−メチル−アクリル酸３−（１−オキソ−１，３−ジヒドロ−イソインドール−２−イル）−フェニルエステル、２−ｍｅ−アクリル酸３−（４−ニトロ−１，３−ジオキソ−１，３−ジヒドロ−イソインドール−２−イル）−フェニルエステル、２−メチル−アクリル酸３−（２，５−ジオキソ−ピロリジン−１−イル）−フェニルエステル、２−メチル−アクリル酸４−（２，５−ジオキソ−ピロリジン−１−イル）−フェニルエステル、ｒｃｌ  ｒ３５，８３６−３，２−メチル−アクリル酸４−アセチルアミノ−フェニルエステル、（１−ピレン）メチルメタクリラート、２−ヒドロキシプロピル２−（メタクリロイルオキシ）エチルフタラート、ｐｅｇモノメタクリラート、３−メチルブテン−２−イル−ｌ−メタクリラート、（メタクリルオキシメチル）ビス（トリメチルシロキシ）−（メチルシロキシ）メチルシラン、（ｒ）−２−ヒドロキシ−２’−メタクリルオキシ−１，１’−ビ−２−ナフトール、４−［［６−（メタクリロイルオキシ）ヘキシル］オキシ］ベンゼンカルボン酸、イソシアナトエチルメタクリラートのヘキサフルオロイソプロピルウレタン、ジシクロペンテニル−２−メタクリラート、（ｒ）−（−）−イソボルニルメタクリラート、３−ペルフルオロヘキシル−２−ヒドロキシプロピルメタクリラート、３−ペルフルオロオクチル−２−ヒドロキシプロピルメタクリラート、（１−ナフチル）エチルメタクリラート、（１−ナフチル）メチルメタクリラート、ｏ−メタクリロイルヘキスト３３２５８、ｏ−（メタクリルオキシエチル）−ｎ−（トリエトキシシリルプロピル）ウレタン、４−［３−（メタクリロイルオキシ）プロポキシ］ベンゼンカルボン酸、４−［４−（メタクリロイルオキシ）ブトキシ］ベンゼンカルボン酸、ヘキサフルオロイソプロピルウレタン−ｎ−エチルメタクリラート、２−メチル−アクリル酸２−（４−（４，５−ジヒドロ−オキサゾール−２−イル）−フェノキシ）−エチルエステル、３−メタクリルオキシプロピルトリス（ペンタメチルジシロキシ）シラン、ジ（プロピレングリコール）アリルエーテルメタクリラート、トリアセトンアミノイルメタクリラート、１ｈ，１ｈ−ペルフルオロ−ｎ−デシルメタクリラート、３−（ペルフルオ��ブチル）−２−ヒドロキシプロピルメタクリラート、２−メチル−アクリル酸４−（３−フェニル−アクリロイル）−フェニルエステル、３−（５−ニトロ−１，３−ジオキソ−１，３−ジヒドロ−２ｈ−イソインドール−２−イル）フェニル２−メチルアクリラート、ｎ−（２−ヒドロキシ−３（（２−メチル−１−オキソ−２−プロペニル）オキシ）プロピル）−ｎ−（４−メチルフェニル）−グリシン又はそれらの混合物。